(57)【要約】【課題】バックライト用光源の使用開始時から所定の期間までは高品位の画像を表示することができ、かつ表示装置の長寿命化を図った液晶表示装置を提供する。【解決手段】液晶表示パネルと、該液晶表示パネルの背面から光を照射するバックライト用光源を有し、入力された映像信号を前記液晶表示パネルに表示する液晶表示装置において、前記液晶表示パネルの表示位置に応じて入力された映像信号の輝度ムラを補正する輝度ムラ補正手段と、前記バックライト用光源の照度を前記液晶表示パネルの表示面の輝度が目標輝度となるように制御する照度制御手段と、前記輝度ムラ補正手段の出力に基づいて前記液晶表示パネルを駆動する液晶表示パネル駆動手段とを有する。【選択図】図１
2010002503.tif 000002
【特許請求の範囲】
【請求項１】
液晶表示パネルと、該液晶表示パネルの背面から光を照射するバックライト用光源を有し、入力された映像信号を前記液晶表示パネルに表示する液晶表示装置において、
前記液晶表示パネルの表示位置に応じて入力された映像信号の輝度ムラを補正する輝度ムラ補正手段と、
前記バックライト用光源の照度を前記液晶表示パネルの表示面の輝度が目標輝度となるように制御する照度制御手段と、
前記輝度ムラ補正手段の出力に基づいて前記液晶表示パネルを駆動する液晶表示パネル駆動手段と、
を有することを特徴とする液晶表示装置。
【請求項２】
前記照度制御手段は、前記バックライト用光源の照度が該バックライト用光源の使用開始時から所定期間までは、該所定時間経過時における照度となるように駆動制御し、且つ該所定期間経過後は、前記バックライト用光源を定格電流駆動すると共に、
前記輝度ムラ補正手段は、前記バックライト用光源の使用開始時から所定期間までは、前記バックライト用光源により前記液晶表示パネルの背面から光を照射した際における前記液晶表示パネルの輝度分布に基づいて前記液晶表示パネルの各表示位置における輝度ムラをなくすように映像信号の輝度を最適に補正し、前記所定時間経過後は、時間経過に伴って輝度ムラの補正値の最大値を徐々に減少させるように映像信号の輝度を補正することを特徴とする請求項１に記載の液晶表示装置。
【請求項３】
さらに、前記バックライト用光源の照度を検出する照度センサを有し、
前記照度制御手段は、前記照度センサの検出出力に基づいて前記バックライト用光源の照度が該バックライト用光源の使用開始時から所定時間経過時における照度以上である場合には、該所定時間経過時における照度となるように駆動制御し、且つ該所定時間経過時における照度以下の照度になった場合には、前記バックライト用光源を定格電流駆動すると共に、
前記輝度ムラ補正手段は、前記バックライト用光源の照度が該バックライト用光源の使用開始時から所定時間経過時における照度以上である場合には、前記バックライト用光源により前記液晶表示パネルの背面から光を照射した際における前記液晶表示パネルの輝度分布に基づいて前記液晶表示パネルの各表示位置における輝度ムラをなくすように映像信号の輝度を最適に補正し、
前記バックライト用光源の照度が前記定時間経過時における照度以下の照度になった場合には、前記バックライト用光源の照度の低下に伴って輝度ムラの補正値の最大値を徐々に減少させるように映像信号の輝度を補正することを特徴とする請求項１に記載の液晶表示装置。
【請求項４】
前記輝度ムラ補正手段は、
前記液晶表示パネルの全表示領域を、該液晶表示パネルの輝度分布に基づいてその中央部から同心円状に分割した各表示領域について中央部から外方に向かうに従って、小さくなるように設定された、前記液晶表示パネルの輝度ムラの補正量と各表示位置との対応関係が記憶されているルックアップテーブルと、
入力された映像信号を、前記ルックアップテーブルを参照し、映像信号の表示位置に応じて輝度ムラの補正を行い、補正された映像信号を出力する輝度ムラ補正回路と、
を有することを特徴とする請求項１乃至３のいずれかに記載の液晶表示装置。
【発明の詳細な説明】
【技術分野】
【０００１】
本発明は、ＣＣＦＬ等のバックライト用光源を有する液晶表示装置に関する。
【背景技術】
【０００２】
バックライトを有する液晶表示装置においては、ＣＣＦＬ等のバックライト用光源の本数、形状、配置の工夫や拡散板等の光学部品の使用によっても液晶表示パネルの表示エリア全域にわたって輝度を一定にすることが困難である。そのため液晶表示装置では、一般に図２に示すように、液晶表示パネルの表示エリアの中央部が明るく周辺部は暗くなり、表示品位が低下する。
ここで、液晶表示装置の輝度とは、照明装置であるバックライトにより光を液晶表示パネルの背後から照射し、液晶表示パネルの前面から測定した明るさをさす。つまり、輝度は液晶パネルの透過率を含めた明るさとなる。
【０００３】
図２は液晶表示装置における液晶表示パネルの表示領域により明るさが異なる状態を示す模式図である。液晶表示パネルの中央部の最も明るい領域の輝度を１００％としたときに各表示領域の明るさを図式すると、図２に示すように等高線状の輝度分布となる。
従来のこの種の液晶表示装置では映像信号処理回路により、液晶表示パネルの表示領域における表示場所に応じて映像信号の振幅を制御してこのような輝度ムラを補正している。
【０００４】
ＣＣＦＬによるバックライトでは部分的に輝度を制御することが難しいため、この種の輝度ムラ補正回路では表示エリアの最も暗い部分の輝度と同等となるように他の明るい部分の映像信号の振幅を減少させることによりその目的を達成している。（例えば、特許文献１参照）。
【特許文献１】特開２００７−２１９０６２号公報
【発明の開示】
【発明が解決しようとする課題】
【０００５】
ＣＣＦＬ等の照明装置は経年変化により照度が減少する。一般には照度維持率が５０％となる時間を照明装置の寿命と定義している。図３にＣＣＦＬの寿命の例を示す。横軸の単位は時間であり、片対数グラフで示している。
液晶表示装置では、照明装置の寿命の末期に近くなり、照明装置（液晶表示装置ではバックライト）の照度が低下してくると、輝度ムラ補正による映像信号の振幅低減により目標の輝度を維持することができなくなる。
【０００６】
一方、照明装置の寿命末期の輝度を優先するために輝度ムラ補正量を減少させると輝度ムラが大きくなり、照明装置の照度に余裕がある使用開始時期に表示品位が低下するという問題が有った。
【０００７】
本発明は、このような事情に鑑みてなされたものであり、照明装置としてのバックライト用光源の使用開始時から所定の期間までは高品位の画像を表示することができ、かつ表示装置の長寿命化を図った液晶表示装置を提供することを目的とする。
【課題を解決するための手段】
【０００８】
上記目的を達成するために本発明の液晶表示装置は、液晶表示パネルと、該液晶表示パネルの背面から光を照射するバックライト用光源を有し、入力された映像信号を前記液晶表示パネルに表示する液晶表示装置において、前記液晶表示パネルの表示位置に応じて入力された映像信号の輝度ムラを補正する輝度ムラ補正手段と、前記バックライト用光源の照度を前記液晶表示パネルの表示面の輝度が目標輝度となるように制御する照度制御手段と、前記輝度ムラ補正手段の出力に基づいて前記液晶表示パネルを駆動する液晶表示パネル駆動手段とを有することを特徴とする。
【０００９】
また、本発明の液晶表示装置は、前記照度制御手段は、前記バックライト用光源の照度を該バックライト用光源の使用開始時から所定期間までは、該所定時間経過時における照度となるように駆動制御し、且つ該所定期間経過後は、前記バックライト用光源を定格電流駆動すると共に、前記輝度ムラ補正手段は、前記バックライト用光源の使用開始時から所定期間までは、前記バックライト用光源により前記液晶表示パネルの背面から光を照射した際における前記液晶表示パネルの輝度分布に基づいて前記液晶表示パネルの各表示位置における輝度ムラをなくすように映像信号の輝度を最適に補正し、前記所定時間経過後は、時間経過に伴って輝度ムラの補正値の最大値を徐々に減少させるように映像信号の輝度を補正することを特徴とする。
【００１０】
また、本発明の液晶表示装置は、さらに、前記バックライト用光源の照度を検出する照度センサを有し、前記照度制御手段は、前記照度センサの検出出力に基づいて前記バックライト用光源の照度が該バックライト用光源の使用開始時から所定時間経過時における照度以上である場合には、該所定時間経過時における照度となるように駆動制御し、且つ該所定時間経過時における照度以下の照度になった場合には、前記バックライト用光源を定格電流駆動すると共に、前記輝度ムラ補正手段は、前記バックライト用光源の照度が該バックライト用光源の使用開始時から所定時間経過時における照度以上である場合には、前記バックライト用光源により前記液晶表示パネルの背面から光を照射した際における前記液晶表示パネルの輝度分布に基づいて前記液晶表示パネルの各表示位置における輝度ムラをなくすように映像信号の輝度を最適に補正し、前記バックライト用光源の照度が前記定時間経過時における照度以下の照度になった場合には、前記バックライト用光源の照度の低下に伴って輝度ムラの補正値の最大値を徐々に減少させるように映像信号の輝度を補正することを特徴とする。
【００１１】
また、本発明の液晶表示装置は、前記輝度ムラ補正手段は、前記液晶表示パネルの全表示領域を、該液晶表示パネルの輝度分布に基づいてその中央部から同心円状に分割した各表示領域について中央部から外方に向かうに従って、小さくなるように設定された、前記液晶表示パネルの輝度ムラの補正量と各表示位置との対応関係が記憶されているルックアップテーブルと、入力された映像信号を、前記ルックアップテーブルを参照し、映像信号の表示位置に応じて輝度ムラの補正を行い、補正された映像信号を出力する輝度ムラ補正回路とを有することを特徴とする。
【発明の効果】
【００１２】
以上説明したように、本発明の液晶表示装置では、液晶表示パネルと、前記液晶表示パネルの背面から光を照射するバックライト用光源を有し、入力された映像信号を前記液晶表示パネルに表示する液晶表示装置であって、前記液晶表示パネルの表示位置に応じて入力された映像信号の輝度ムラを補正する輝度ムラ補正手段と、前記バックライト用光源の照度を前記液晶表示パネルの表示面の輝度が目標輝度となるように制御する照度制御手段と、前記輝度ムラ補正手段の出力に基づいて前記液晶表示パネルを駆動する液晶表示パネル駆動手段とを有している。
【００１３】
そして、前記照度制御手段は、前記バックライト用光源の照度を該バックライト用光源の使用開始時から所定期間までは、該所定時間経過時における照度となるように駆動制御し、且つ該所定期間経過後は、前記バックライト用光源を定格電流駆動すると共に、前記輝度ムラ補正手段は、前記バックライト用光源の使用開始時から所定期間までは、前記バックライト用光源により前記液晶表示パネルの背面から光を照射した際における前記液晶表示パネルの輝度分布に基づいて前記液晶表示パネルの各表示位置における輝度ムラをなくすように映像信号の輝度を最適に補正し、前記所定時間経過後は、時間経過に伴って輝度ムラの補正値の最大値を徐々に減少させるように映像信号の輝度を補正する。
したがって、照明装置としてのバックライト用光源の使用開始時から所定の期間までは輝度ムラ補正を最適化することにより高品位の画像を表示することができ、かつバックライト用光源の寿命末期では輝度ムラ補正値を徐々に減少させることにより液晶表示装置自体の長寿命化が図れる。
【発明を実施するための最良の形態】
【００１４】
以下、本発明の実施形態を、図面を参照して説明する。図１に本発明の第１実施形態に係る液晶表示装置の構成を示す。同図において、本発明の第１実施形態に係る液晶表示装置は、映像信号処理部１０と、液晶表示パネル駆動部１２と、液晶表示パネル１４と、バックライト用光源１６と、制御部１８と、バックライト駆動部２０とを有している。
【００１５】
また、映像信号処理部１０は、Ａ／Ｄ変換回路１００と、表示位置データ抽出回路１０１と、輝度ムラ補正回路１０２と、ルックアップテーブル（ＬＵＴ）１０４と、フレームメモリ１０６と、書き込み／読み出し制御回路１０８とを有している。
映像信号処理部１０は、入力端子１より入力された映像信号をディジタル信号に変換し、液晶表示パネル１４の表示位置に応じて輝度ムラ補正を行い、この輝度ムラ補正をした映像信号（画像データ）を液晶表示パネル駆動部１２に出力する機能を有している。
【００１６】
Ａ／Ｄ変換回路１００は、入力端子１より入力されたアナログ映像信号をディジタル信号に変換する。なお、Ａ／Ｄ変換回路１００は、入力される映像信号がディジタル信号である場合は不要である。
表示位置データ抽出回路１０１は、入力端子１より入力されたアナログ映像信号から液晶表示パネル１４の画面上の表示位置を示すデータを抽出し、輝度ムラ補正回路１０２に出力する。
輝度ムラ補正回路１０２は、液晶表示パネル１４の表示画面上における表示位置に応じて、入力された映像信号の輝度ムラを補正する機能を有している。
【００１７】
ルックアップテーブル（ＬＵＴ）１０４には、液晶表示パネル１４の全表示領域を、該液晶表示パネルの輝度分布に基づいてその中央部から同心円状に分割した各表示領域について中央部から外方に向かうに従って、小さくなるように設定された、液晶表示パネル１４の輝度ムラの補正量と各表示位置との対応関係が記憶されている。
【００１８】
なお、このルックアップテーブル（ＬＵＴ）１０４は必ずしも全画素について輝度ムラの補正量を示すデータ保有する必要はなく、表示エリアを複数のブロックに分割し、各ブロック毎に中央に位置する代表的な輝度ムラ補正量を保有しておき、他の画素については補間して求める構成としてもよい。
【００１９】
輝度ムラ補正回路１０２は、入力された映像信号を、ルックアップテーブル１０４を参照し、映像信号の液晶表示パネル１４の表示画面上の表示位置に応じて輝度ムラの補正を行い、補正された映像信号を出力する。
輝度ムラ補正回路１０２及びルックアップテーブル（ＬＵＴ）１０４は、本発明の輝度ムラ補正手段に相当する。
【００２０】
フレームメモリ１０６は、複数フレーム分のメモリ容量を有し、輝度ムラ補正回路１０２により輝度ムラ補正された映像信号（画像データ）が、１フレーム分、書き込まれると同時に、既に書き込まれた映像信号が読み出されるようになっている。ここで、フレームメモリ１０６の後に画素数を任意の倍率で拡大または縮小するスケーリング回路を設けてもよい。
書き込み／読出し制御回路１０８は、輝度ムラ補正回路１０２から出力された映像信号をフレームメモリ１０６に書き込み、またフレームメモリ１０６に既に書き込まれている映像信号を読み出すように制御すると共に、液晶表示パネル駆動部１２に同期信号等の各種制御信号を出力する機能を有している。
【００２１】
なお、図１の構成において、フレームメモリ１０６及び書き込み／読出し制御回路１０８を省略するように構成してもよい。
また、輝度ムラ補正回路１０２とフレームメモリ１０６の位置を入れ替えてもよい。すなわち、映像信号をフレームメモリ１０６に書き込んだ後に、その書き込んだ映像信号について輝度ムラ補正回路１０２により輝度ムラ補正を行うようにしてもよい。
【００２２】
液晶表示パネル駆動部１２は、フレームメモリ１０６から読み出された映像信号出力および書き込み／読出し制御回路１０８から出力される制御信号に基づいて前記液晶表示パネル１４を駆動し、画像表示する機能を有している。
【００２３】
バックライト用光源１６は、例えば、ＣＣＦＬであり、バックライト用光源１６の照度は制御部１８の制御下にバックライト駆動部２０により駆動されるようになっている。
制御部１８は、映像信号処理部１０の各部の制御を行うと共に、バックライト駆動部２０の駆動制御を行う機能を有している。
制御部１８は、液晶表示パネル１４の表示面の輝度が目標輝度となるようにバックライト用光源１６の照度をバックライト駆動部２０により駆動制御する機能を有している。制御部１８は、本発明の照度制御手段に相当する。
【００２４】
また、制御部１８は、タイマ１９を内蔵しており、制御部１８は、タイマ１９により計測されるバックライト用光源の使用時間に応じてバックライト用光源の照度を制御する機能も有している。
【００２５】
上記構成において、映像信号が入力端子１より入力されると、Ａ／Ｄ変換回路１００は、入力端子１より入力されたアナログ映像信号をディジタル信号に変換し、輝度ムラ補正回路１０２に出力する。
このとき、同時には、入力端子１より入力されたアナログ映像信号から液晶表示パネル１４の画面上の表示位置を示すデータを抽出し、輝度ムラ補正回路１０２に出力する。
【００２６】
輝度ムラ補正回路１０２は、入力されたディジタル映像信号を、ルックアップテーブル１０４を参照し、表示位置データ抽出回路１０１から入力された液晶表示パネル１４の画面上の表示位置を示すデータに基づいて映像信号の液晶表示パネル１４の表示画面上の表示位置に応じて輝度ムラの補正を行い、補正された映像信号をフレームメモリ１０６に出力する。
【００２７】
輝度ムラ補正された映像信号（画像データ）は、書き込み／読出し制御回路１０８の制御下にフレームメモリ１０５に書き込まれる共に、既に書き込まれた映像信号は、液晶表示パネル駆動部１２を介して液晶表示パネル１４に出力され、表示される。
一方、制御部１８は、バックライト用光源１６の照度が液晶表示パネル１４の表示面の輝度が目標輝度となるようにバックライト駆動部２０を駆動制御する。
【００２８】
図４はバックライト用光源１６の照度維持グラフの寿命末期部分を拡大して示したものである。使用開始から所定時間経過時における時刻ｔ１に至るまではバックライト用光源１６の照度が十分に高いため、輝度ムラ補正量を最大にすることができる。
図４に示す例では、時刻ｔ１における照度維持率は７０％であり、時刻ｔ２では６０％である。
【００２９】
また、図２に示す例では液晶表示パネル１４の表示画面における中央部の輝度を１００％としたときに周辺輝度比は８０％なので、輝度ムラ補正回路１０２及びルックアップテーブル１０４により最大２０％の輝度ムラ補正を行えば、液晶表示パネル１４の表示画面全体において均等な輝度を得ることができる。
最大輝度ムラ補正を行った場合、時刻ｔ１における液晶表示パネル１４の表示画面における輝度はおおむね輝度ムラ補正しない時の初期値に対して７０％×(１−２０％)＝５６％となる。
【００３０】
液晶表示パネル１４の表示画面における目標輝度をバックライト用光源１６の初期照度の時の輝度のおよそ半分に対応する値に設定する場合、制御部１８は、バックライト用光源１６の使用開始時から所定時間経過した時刻ｔ１に至るまでの期間ではバックライト用光源１６の照度を７０％に変化させて駆動することができる。
【００３１】
さらに、制御部１８は、制御部１８に内蔵されているタイマ１９により計測される時間の経過とともにバックライト用光源１６の照度を初期値の７０％に維持することができる。このようにバックライト用光源１６の照度自体を制御すると、映像信号の振幅のみを減少させて表示装置の輝度を制御する方法に比べて消費電力を削減することが可能となる。
【００３２】
制御部１８は、時刻ｔ１以降はバックライト用光源１６を定格電流駆動とし、時間の経過とともに輝度ムラ補正量を徐々に減少させる。例えば時刻ｔ２（照度維持率６０％）では輝度ムラ補正量を１０％とすれば時刻ｔ２における液晶表示パネル１４の表示画面における輝度は初期値に対して６０％×(１−１０％)＝５４％程度となる。
【００３３】
図５は液晶表示パネル１４の表示画面の水平中央部における輝度ムラ補正を表す模式図である。図中の実線部はバックライト用光源１６の使用開始時から所定時間経過時における時刻ｔ１までの期間の映像信号の振幅を表し、破線部は時刻ｔ２における映像信号の振幅を表している。
【００３４】
このように、制御部１８は、バックライト用光源１６の照度を該バックライト用光源の使用開始時から所定期間経過時の時刻ｔ１までは、該所定時間経過時ｔ１における照度となるように駆動制御し、且つ該所定期間経過後は、前記バックライト用光源を定格電流駆動する。
【００３５】
また、輝度ムラ補正回路１０２は、バックライト用光源１６の使用開始時から所定期間経過時の時刻ｔ１までは、バックライト用光源１６により液晶表示パネル１４の背面から光を照射した際における液晶表示パネル１４の輝度分布に基づいて液晶表示パネル１４の各表示位置における輝度ムラをなくすように映像信号の輝度を最適に補正し、上記所定時間経過後は、時間経過に伴って輝度ムラの補正値の最大値を徐々に減少させるように映像信号の輝度を補正する。
【００３６】
本発明の第１実施形態に係る液晶表示装置によれば、照明装置としてのバックライト用光源の使用開始時から所定の期間までは輝度ムラ補正を最適化することで高品位の画像を表示することができ、バックライト用光源の寿命末期では輝度ムラ補正量を減少させることにより表示装置の長寿命化が図れる。
なお、本発明の第１実施形態に係る液晶表示装置では、最大輝度ムラ補正を行った場合、時刻ｔ１における液晶表示パネル１４の表示画面における輝度はおおむね輝度ムラ補正しない時の初期値に対して７０％×(１−２０％)＝５６％としているが、７０％×(１−２８．５７１４…％)＝５０％として、定格電流駆動して５０％を維持できるようにしてもよい。その方が、輝度ムラをなくす最適処理をしている時間が長くなる、という効果が有る。
【００３７】
また、本発明の第１実施形態に係る液晶表示装置では、バックライト用光源１６の使用開始時より所定時間経過後はバックライト用光源１６を定格電流駆動するようにしているが、これに限らず、液晶表示パネル１４の表示画面における輝度が５０％を切りそうになった時点で、輝度ムラ補正を緩和して上記輝度が５０％以上になるようにし、その輝度から経時変化で液晶表示パネル１４の表示画面における輝度が５０％になったら、またさらに輝度ムラ補正を緩和する、というように段階的に輝度ムラ補正制御を行うようにしてもよい。
【００３８】
本発明の第２実施形態に係る液晶表示装置の要部の構成を図６に示す。本発明の第２実施形態に係る液晶表示装置が第１実施形態に係る液晶表示装置と構成上、異なるのは、第１実施形態に係る液晶表示装置では、制御部１８に内蔵されているタイマ１９により計測される経過時間から、バックライト用光源１６の照度を推測して、バックライト用光源１６の照度を制御するようにしているが、第２実施形態に係る液晶表示装置では、タイマを使用せずに、バックライト用光源１６の照度を照度センサ２２により直接、検出し、照度センサ２２の検出出力に基づいてバックライト用光源１６の照度を制御するようにした点であり、その他の構成は第１実施形態に係る液晶表示装置と同一であるので、重複する説明は省略する。
【００３９】
図６において、照度センサ２２の検出出力に基づいてバックライト用光源１６の照度がバックライト用光源１６の使用開始時から所定時間経過時ｔ１における照度以上である場合には、該所定時間経過時ｔ１における照度となるように駆動制御し、且つ該所定時間経過時ｔ１における照度以下の照度になった場合には、前記バックライト用光源を定格電流駆動する。
【００４０】
輝度ムラ補正回路１０２は、照度センサ２２の検出出力に基づいてバックライト用光源１６の照度が該バックライト用光源１６の使用開始時から所定時間経過時における照度以上である場合には、バックライト用光源１６により液晶表示パネル１４の背面から光を照射した際における液晶表示パネル１４の輝度分布に基づいて液晶表示パネル１４の各表示位置における輝度ムラをなくすように映像信号の輝度を最適に補正し、バックライト用光源１６の照度が前記定時間経過時における照度以下の照度になった場合には、バックライト用光源１６の照度の低下に伴って輝度ムラの補正値の最大値を徐々に減少させるように映像信号の輝度を補正する。
【００４１】
本発明の第２実施形態に係る液晶表示装置においても、第１実施形態に係る液晶表示装置と同様の効果が得られる。
なお、本発明の第２実施形態に係る液晶表示装置では、バックライト用光源１６の照度を照度センサ２２により直接、検出し、照度センサ２２の検出出力に基づいてバックライト用光源１６の照度を制御するようにしているが、照度センサ２２の代わりに液晶表示パネル１４の前面から輝度を測定する輝度センサを設け、該輝度センサの出力に基づいてバックライト用光源１６の照度を制御するようにしてもよい。
また、輝度ムラの補正と同時に色ムラの補正を行うようにしてもよい。この場合、色度を測定して補正するには輝度のみを検知する輝度センサではなく、輝度及び色度を測定できるＲＧＢセンサ（フォトセンサ）を使用する必要が有る。
【図面の簡単な説明】
【００４２】
【図１】本発明の第１実施形態に係る液晶表示装置の構成を示すブロック図。
【図２】液晶表示パネルの表示画面上における輝度分布を示す図。
【図３】ＣＣＦＬの寿命特性を示す図。
【図４】バックライト用光源の照度維持特性における寿命末期部分を示す特性図。
【図５】液晶表示パネルの表示画面上における輝度ムラ補正の特性を示す図。
【図６】本発明の第２実施形態に係る液晶表示装置の構成を示すブロック図。
【符号の説明】
【００４３】
１…入力端子、１０…映像信号処理部、１２…液晶表示パネル駆動部、１４…液晶表示パネル、１６…バックライト用光源、１８…制御部、１９…タイマ、２０…バックライト駆動部、２２…照度センサ、１００…Ａ／Ｄ変換回路、１０２…輝度ムラ補正回路１０４…ルックアップテーブル（ＬＵＴ）、１０６…フレームメモリ、１０８…書き込み／読出し制御回路１０８
【図１】
2010002503.tif 000003
【図２】
2010002503.tif 000004
【図３】
2010002503.tif 000005
【図４】
2010002503.tif 000006
【図５】
2010002503.tif 000007
【図６】
2010002503.tif 000008